(57)【特許請求の範囲】
【請求項１】
建物の外壁の上端部における屋外側の表面部に配置されると共に当該上端部にネジ部材で取り付けられ、当該建物の屋根裏側と屋外側とを連通する連通部が形成された通気胴縁と、
前記表面部と前記通気胴縁との間に介在され、当該表面部の凹凸に追従して弾性変形可能な弾性シール部材と、
前記上端部に沿ってかつ当該上端部を屋外側から覆うように延在し、当該上端部と間隔をあけて配置された側壁部を備えた屋根板部材と、
を有し、
前記側壁部は、当該側壁部の下端部側が前記外壁側に折り返されて構成されたヘミング部を備えており、当該ヘミング部の上端部は、前記通気胴縁の上面よりも建物上方側に位置している、
建物の通気構造。
【請求項２】
前記通気胴縁は、前記上端部に沿って複数配置されており、当該通気胴縁の隣接する端部同士の間に弾性変形可能な隙詰め部材が介在されている、
請求項１に記載の建物の通気構造。
【請求項３】
前記弾性シール部材と前記表面部との間には、粘着体が介在しており、前記通気胴縁は当該通気胴縁の屋外側から前記上端部に前記ネジ部材が螺入されることで当該上端部に取り付けられている、
請求項１又は請求項２に記載の建物の通気構造。
【請求項４】
前記屋根板部材は、前記建物の屋根部を構成すると共に屋根裏を覆っており、当該屋根板部材と前記上端部とを含んで屋根裏側への通気が可能な通気部が構成され、当該通気部の建物上方側に前記通気胴縁が配置されると共に、当該通気部よりも建物上方側に水切り部が設けられている、
請求項１〜請求項３の何れか１項に記載の建物の通気構造。
【請求項５】
前記連通部は、前記通気胴縁の屋外側の面に形成されると共に、当該連通部の建物下方側を覆う覆い部によって前記通気部の一部が構成されている、
請求項４に記載の建物の通気構造。
【請求項６】
前記屋根は、陸屋根とされると共に、前記側壁部の長手方向に沿って軒樋が設けられている、
請求項４又は請求項５に記載の建物の通気構造。
【発明の詳細な説明】
【技術分野】
【０００１】
本発明は、建物の通気構造に関する。
【背景技術】
【０００２】
下記特許文献１には、建物の通気構造に関する発明が開示されている。この建物の通気構造では、外壁の上端部の屋外側に通気胴縁が取り付けられており、この通気胴縁には、屋外側と屋根裏側とを連通する通気溝が形成されている。このため、通気胴縁の通気溝によって屋外側と屋根裏側とを連通する通気経路が形成され、屋根裏の換気を行うことができる。また、通気胴縁は、防水テープを介して外壁の表面部に取り付けられており、通気胴縁と外壁との間からの水の浸入が抑制されている。
【先行技術文献】
【特許文献】
【０００３】
【特許文献１】特開２０１３−０５７２１３号公報（図３）
【発明の概要】
【発明が解決しようとする課題】
【０００４】
しかしながら、上記特許文献１に開示された建物の通気構造では、外壁の表面部に凹凸があると防水テープと外壁の表面部との間に隙間が生じ、通気胴縁と外壁との間から屋根裏側への水の浸入を抑制することが困難となることが考えられる。
【０００５】
本発明は上記事実を考慮し、外壁の表面部における凹凸の有無にかかわらず、通気胴縁と外壁の表面部との間から屋根裏側への水の浸入を抑制することができる建物の通気構造を得ることが目的である。
【課題を解決するための手段】
【０００６】
第１の態様に係る建物の通気構造は、建物の外壁の上端部における屋外側の表面部に配置され、当該建物の屋根裏側と屋外側とを連通する連通部が形成された通気胴縁と、前記表面部と前記通気胴縁との間に介在され、当該表面部の凹凸に追従して弾性変形可能な弾性シール部材と、を有している。
【０００７】
第１の態様に係る建物の通気構造では、建物の外壁の上端部における屋外側の表面部に通気胴縁が配置されている。この通気胴縁には、連通部が形成されており、当該連通部によって建物の屋根裏側と屋外側とが連通されている。このため、建物の屋根裏側と屋外側とを通気し、屋根裏の空間を換気することができる。
【０００８】
ところで、建物の外壁の表面部に凹凸があると当該表面部と通気胴縁との間に隙間が生じ、当該隙間から屋根裏側へと水が浸入することが考えられる。
【０００９】
ここで、本態様では、建物の外壁の上端部における屋外側の表面部と通気胴縁との間に弾性シール部材が介在されており、当該弾性シール部材は、当該表面部の凹凸に追従して弾性変形可能とされている。このため、弾性シール部材が建物の外壁の表面部の凹凸に追従して弾性変形することで当該隙間が当該弾性シール部材によって塞がれる。その結果、建物の外壁の表面部と通気胴縁とは、弾性シール部材を介して密着した状態となり、外壁の表面部と通気胴縁との間に吹き付ける水を遮ることができる。
【００１０】
第２の態様に係る建物の通気構造は、第１の態様に係る建物の通気構造おいて、前記通気胴縁は、前記上端部に沿って複数配置されており、当該通気胴縁の隣接する端部同士の間に弾性変形可能な隙詰め部材が介在されている。
【００１１】
第２の態様に係る建物の通気構造では、建物の外壁の上端部に沿って複数配置された通気胴縁における隣接する端部同士の間に弾性変形可能な隙詰め部材が介在されている。このため、隙詰め部材が圧縮変形された状態で通気胴縁を外壁に取り付けることにより、当該通気胴縁における隣接する端部同士が当該隙詰め部材を介して密着した状態となる。
【００１２】
第３の態様に係る建物の通気構造は、第１の態様又は第２の態様に係る建物の通気構造において、前記弾性シール部材と前記表面部との間には、粘着体が介在しており、前記通気胴縁は当該通気胴縁の屋外側から前記上端部にネジ部材が螺入されることで当該上端部に取り付けられている。
【００１３】
第３の態様に係る建物の通気構造では、弾性シール部材と建物の外壁の上端部との間に粘着体が介在しており、ネジ部材で通気胴縁を弾性シール部材と共に当該上端部に取り付けるときに、当該ネジ部材のネジ山に当該粘着体が巻き込まれる。このため、ネジ部材によって外壁の上端部に形成されたネジ孔を、粘着体によって塞ぐことができる。
【００１４】
第４の態様に係る建物の通気構造は、第１の態様〜第３の態様の何れか１態様に係る建物の通気構造において、前記建物の屋根部を構成すると共に屋根裏を覆う屋根部材と前記上端部とを含んで屋根裏側への通気が可能な通気部が構成され、当該通気部の建物上方側に前記通気胴縁が配置されると共に、当該通気部よりも建物上方側に水切り部が設けられている。
【００１５】
第４の態様に係る建物の通気構造では、建物の屋根部を構成すると共に屋根裏を覆う屋根板部材と当該建物の外壁の上端部とを含んで屋根裏側への通気が可能な通気部が構成されており、当該通気部の建物上方側に通気胴縁が配置されている。そして、通気部よりも建物上方側に水切り部が設けられている。このため、屋根部の上方側から通気部に向かって流れる水が水切り部を伝って流れ、当該水切り部の建物下方側に設けられた通気部から水が浸入するのを抑制することができる。
【００１６】
第５の態様に係る建物の通気構造は、第４の態様に係る建物の通気構造おいて、前記連通部は、前記通気胴縁の屋外側の面に形成されると共に、当該連通部の建物下方側を覆う覆い部によって前記通気部の一部が構成されている。
【００１７】
第５の態様に係る建物の通気構造では、通気胴縁の連通部の建物下方側を覆う覆い部によって通気部の一部が構成されることで、通気部を確保しつつ通気胴縁の連通部に水が吹き付けられることを抑制することができる。
【００１８】
第６の態様に係る建物の通気構造は、第４の態様又は第５の態様に係る建物の通気構造において、前記屋根部は、陸屋根とされると共に、前記屋根板部材を構成しかつ前記上端部に沿って延在する側壁部の長手方向に沿って軒樋が設けられている。
【００１９】
第６の態様に係る建物の通気構造では、陸屋根を構成する屋根板部材における側壁部の長手方向に沿って軒樋が設けられており、建物の意匠性を損なうことなく、屋根部の上方側から水切り部を伝って流れる水を排水することができる。
【発明の効果】
【００２０】
以上説明したように、第１の態様に係る建物の通気構造では、外壁の表面部における凹凸の有無にかかわらず、通気胴縁と外壁の表面部との間から屋根裏側への水の浸入を抑制することができるという優れた効果を有する。
【００２１】
第２の態様に係る建物の通気構造では、複数配置された通気胴縁における隣接する端部同士の間から屋根裏側への水の浸入を抑制することができるという優れた効果を有する。
【００２２】
第３の態様に係る建物の通気構造では、通気胴縁及び弾性シール部材に形成されたネジ孔から屋根裏側への水の浸入を抑制することができるという優れた効果を有する。
【００２３】
第４の態様に係る建物の通気構造では、建物上方側から流れてくる水の屋根裏側への浸入を抑制することができるという優れた効果を有する。
【００２４】
第５の態様に係る建物の通気構造では、通気部によって屋根裏側への通気性を確保しつつ当該通気部から通気胴縁の連通部への水の浸入を抑制することができるという優れた効果を有する。
【００２５】
第６の態様に係る建物の通気構造では、建物の意匠性の確保と建物上方側から流れてくる水の屋根裏側への浸入の抑制との両立を図ることができるという優れた効果を有する。
【図面の簡単な説明】
【００２６】
【図１】本実施形態に係る建物の通気構造を示す拡大断面図（図５の破線Ｘで囲まれた部分の拡大図）である。
【図２】本実施形態に係り、通気胴縁と外壁材との納まりを示す拡大断面図（図１の２−２線に沿って切断した状態を示す断面図）である。
【図３】本実施形態に係り、通気胴縁の納まりを示す斜視図である。
【図４】本実施形態に係り、隣り合う外壁パネル間の納まりを示す断面図（図６の４−４線に沿って切断した状態を示す断面図）である。
【図５】本実施形態に係る建物の通気構造を示す断面図（図６の５−５線に沿って切断した状態を示す断面図）である。
【図６】本実施形態に係る建物の通気構造が適用された建物を示す斜視図である。
【発明を実施するための形態】
【００２７】
以下、図１〜図６を用いて、本発明に係る建物の通気構造が適用された建物の一例について説明する。
【００２８】
まず、本実施形態に係る建物１０の全体構造について説明する。図６に示されるように、建物１０は、基礎１２上に建物ユニット１４、１６を含む複数個の建物ユニットが据え付けられて、その下階側が構成されている。そして、これらの下階側の建物ユニット上に建物ユニット１８、２０を含む複数個の建物ユニットが据え付けられることにより、建物１０の上階側が構成されている。
【００２９】
建物ユニット１８を例にとって、図４にその一部が示される建物ユニット躯体１９の構成について説明する。この建物ユニット躯体１９は、四隅に立設された柱２１と、柱２１の上端部同士を連結する図示しない天井フレームと、柱２１の下端部同士を連結する図示しない床フレームと、によって略箱状に構成されている。天井フレームは、各々溝形鋼によって構成された長短二種類の天井大梁によって梯子状に構成されている。一方、床フレームも天井フレームと同様の構成とされており、長短二種類の溝形鋼が梯子状に配置されて構成されている。そして、図５にも示されるように、床フレーム及び天井フレームには、外壁パネル２４が建物１０の外周面に沿って並べて取り付けられており、建物１０の外壁２２の一部を構成している。
【００３０】
外壁パネル２４は、矩形平板状の外壁材２６が、外壁フレーム３０に図示しないビス等によって取り付けられて構成されている。また、外壁材２６の上端部２６Ａは、外壁材２６の一般部２６Ｂに対して薄肉化されており、見方を変えれば、外壁材２６の上端部２６Ａには当該外壁材２６の一般部２６Ｂにおける意匠面２６Ｂ１に対して屋内側へ凹んだ段差が形成されている。なお、以下では、この段差が形成された部分を「凹部２８」と称する。なお、凹部２８の建物上下方向に沿う屋外側の面は、後述する通気胴縁５６が取り付けられる表面部としての取付面２８Ａとなっている。
【００３１】
一方、外壁フレーム３０は、溝型鋼によって形成された横桟３２及び縦桟３４を含んで矩形枠状又は梯子状に構成されている。また、図４に示されるように、隣接する建物ユニット１８同士の連結部において隣接する外壁パネル２４の縦桟３４同士の間には、当該縦桟３４の長手方向に沿って止水部材７４が配置されている。一方、隣接する外壁材２６における当該外壁材２６の幅方向の端部２６Ｃ同士の間には、当該端部２６Ｃに沿って止水部材７６が配置されている。さらに、隣接する建物ユニット躯体１９の柱２１における建物上方側の端部２１Ａ（木口）の一部及び上述した縦桟３４の建物上方側の端部３４Ａ（木口）が、木口止水テープ（ブチルテープ）７８によって塞がれている。この木口止水テープ７８は、平面視でホームベース状のブチルゴム系ゴムシートで構成されている。
【００３２】
そして、外壁フレーム３０は、その建物上方側が図示しない天井大梁に、その建物下方側が図示しない床大梁にそれぞれ図示しないボルト等によって固定されている。また、外壁フレーム３０の建物上方側が固定された天井大梁には、図示しない屋根フレームが取り付けられており、当該屋根フレームによって建物１０の屋根部３６が支持されている。
【００３３】
図５に戻り、屋根部３６は、屋根板部材としての鋼板役物３８と野地板４０及び断熱材４２とを含んで構成されている。この屋根部３６は、屋根面４４が傾斜の無い平面状とされた所謂陸屋根として構成されている。なお、ここでいう傾斜の無い平面状には、水勾配が確保できる程度に傾斜した平面状も含まれる。
【００３４】
野地板４０は、屋根フレームの建物上方側に配置されると共に、合板やＡＬＣ（軽量コンクリート）等により形成されている。また、断熱材４２は、野地板４０の建物上方側に面する上面部４０Ａに配置されると共に、ポリスチレンフォーム等の発泡性の樹脂により形成されており、建物１０の屋内側の結露を抑制する機能を備えている。
【００３５】
そして、鋼板役物３８は、建物１０の屋根面４４を構成する上壁部３８Ａと、当該上壁部３８Ａの周縁部に当該上壁部３８Ａと一体に設けられた側壁部３８Ｂとを含んで、ＤＮ鋼板によって構成されている。より詳しくは、鋼板役物３８の上壁部３８Ａは、建物桁方向及び建物妻方向に延在しており、断熱材４２の建物上方側に面する上面部４２Ａに配置されている。なお、屋根面４４の中央部は、図示しないＤＮシートで構成されている。つまり、屋根面４４全体として見ると、鋼板役物３８の上壁部３８Ａは、屋根面４４の外周部を構成している。
【００３６】
一方、側壁部３８Ｂは、上壁部３８Ａの周縁部から建物下方側に屈曲されると共に、外壁材２６の上端部２６Ａ（外壁２２の上端部２２Ａ）に沿ってかつ当該上端部２６Ａを屋外側から覆うように延在し、当該上端部２６Ａと間隔をあけて配置されている。また、側壁部３８Ｂの下端部３８Ｂ１は、屋外側から見て、側壁部３８Ｂで外壁材２６の凹部２８を覆うのに十分な位置まで達すると共に、側壁部３８Ｂは下端部３８Ｂ１において外壁２２側に重なるように折り返されている。なお、以下では、側壁部３８Ｂにおける外壁２２側に折り返された部分を「ヘミング部３８Ｂ２」と称する。また、鋼板役物３８及び屋根面４４を構成するＤＮシートで覆われた空間のうち、外壁２２よりも屋内側の部分を「屋根裏４６」と称する。そして、鋼板役物３８の側壁部３８Ｂの屋外側には、軒樋４８が配置されている。
【００３７】
軒樋４８は、外壁パネル２４の幅方向から見て建物上方側が開放されたＵ字形状に形成されると共に当該幅方向に延在しており、後述する水切り５４の水切り部５４Ａから流れてくる水を受けるようになっている。また、軒樋４８の底部４８Ａには、図示しない貫通部が形成されており、当該貫通部には、縦樋５０が接続されている（図６参照）。これにより、軒樋４８に流れこんだ水は、縦樋５０に流入して建物下方側に流れていくようになっている。なお、軒樋４８は、軒樋４８の長手方向の複数箇所に配置されると共に、図示しないビス等によって外壁パネル２４に固定された吊具５２によって保持されている。
【００３８】
ここで、本実施形態では、一例として、水切り５４、通気胴縁５６、防水シート６０、弾性シール部材としてのシール部材６２及び粘着体としてブチルテープ６８を含んで、建物の通気構造が構成されている。以下、本発明の要部である建物の通気構造の構成の一例について詳細に説明する。
【００３９】
まず、引き続き図５を用いて水切り５４の構成について説明する。水切り５４は、水切り部５４Ａ、側板部５４Ｂ及び覆い部５４Ｃを含んで、アルミニウム等の板材により形成されている。この水切り５４は、鋼板役物３８の側壁部３８Ｂの屋外側に軒樋４８よりも建物上方側に配置されるように取り付けられている。詳しくは、側板部５４Ｂは、建物上下方向に沿う平板状に形成されており、鋼板役物３８の側壁部３８Ｂ及び通気胴縁５６等と共に屋外側から螺入されたネジ部材としてのタッピンネジ６４によって外壁パネル２４に取り付けられている。そして、側板部５４Ｂの上端部５４Ｂ１には、水切り部５４Ａが設けられている。
【００４０】
水切り部５４Ａは、側板部５４Ｂの上端部５４Ｂ１から屋外側へ向かうに従い建物下方側に傾斜するように形成されると共に、その先端部が建物下方側に向かって延出している。これにより、屋根部３６から流れてきた水が、水切り部５４Ａに沿って流れ、上述した軒樋４８に流下するようになっている。
【００４１】
一方、図１に示されるように、側板部５４Ｂの下端部５４Ｂ２は、側壁部３８Ｂの下端部３８Ｂ１まで達しており、側壁部３８Ｂは、その建物上方側の一部を除いて、屋外側から側板部５４Ｂによって覆われている。また、側板部５４Ｂの下端部５４Ｂ２には、屋内側、より具体的には、外壁材２６の取付面２８Ａの下端部に向かって延出された平板状の覆い部５４Ｃが形成されている。さらに、覆い部５４Ｃの先端部と凹部２８の取付面２８Ａとの間には、所定の隙間があけられるように設定されており、当該隙間が屋外側から屋根裏４６側に通じる通気部としての通気口６６とされている。なお、覆い部５４Ｃの先端部は、建物上方側に重なるように折り返されて形成されている。
【００４２】
通気胴縁５６は、角柱状の樹脂材で構成されると共に、鋼板役物３８の側壁部３８Ｂと外壁材２６の取付面２８Ａとの間に配置されている。詳しくは、通気胴縁５６の屋内側に面する内面部５６Ａは、外壁材２６の取付面２８Ａに後述するようにシール部材６２及びブチルテープ６８を介して接着されている。一方、通気胴縁５６の屋外側に面する外面部５６Ｂには、後述するように防水シート６０が接着されており、当該防水シート６０の屋外側には、鋼板役物３８の側壁部３８Ｂが配置されている。
【００４３】
また、通気胴縁５６の外面部５６Ｂには、連通部としての通気溝５８が建物上下方向に沿って設けられており、当該通気溝５８の断面形状は、建物上下方向に見て、鋼板役物３８の側壁部３８Ｂ側が開放された半円形状とされている。そして、通気胴縁５６の通気溝５８によって通気胴縁５６の建物上方側（屋根裏４６側）の空間と通気胴縁５６の建物下方側（屋外側）の空間とが連通されている。さらに、通気溝５８の建物下方側には、上述した水切り５４の覆い部５４Ｃが配置されており、建物下方側から見て覆い部５４Ｃによって通気溝５８が覆われるようになっている。
【００４４】
さらに、通気胴縁５６は、一例として、その建物上下方向の長さＬが３０ｍｍに設定されると共に、その建物上方側に面する上面部５６Ｃと外壁材２６の上端部２６Ａの先端との距離Ｓが１０ｍｍに設定されている。つまり、通気胴縁５６の建物上下方向の長さＬと上面部５６Ｃと上端部２６Ａの先端との距離Ｓの比が、Ｌ：Ｓ＝３：１に設定されている。上記構成によれば、通気胴縁５６及び外壁材２６の上端部２６Ａの寸法の拡大を抑制しつつ、通気胴縁５６の通気溝５８から屋根裏４６側への水の浸入を抑制することが可能となっている。具体的には、通気胴縁５６の建物下方側から水が吹き付けても、この水は通気胴縁５６の通気溝５８内に付着し、水の屋根裏４６側への浸入が抑制されるようになっている。また、水が通気溝５８を通過しても、外壁材２６の上端部２６Ａによって水の屋根裏４６側への浸入が抑制されるようになっている。
【００４５】
一方、上述した鋼板役物３８のヘミング部３８Ｂ２は、通気胴縁５６の上面部５６Ｃよりも建物上方側に延びており、鋼板役物３８の加工精度に関わらず、ヘミング部３８Ｂ２が通気胴縁５６の通気溝５８の建物下方側に配置されないようになっている。つまり、鋼板役物３８は、ヘミング部３８Ｂ２で通気胴縁５６の通気溝５８を塞ぐことがないように構成されている。
【００４６】
次に、防水シート６０の構成について説明する。防水シート６０は、ＣＲシート等から成るゴム材又はゴム様発泡弾性シール部材によって、平面視で矩形の帯状に形成されると共に、弾性変形可能に構成されている。この防水シート６０は、断熱材４２の周縁部に沿って配置されており、当該防水シート６０によって断熱材４２の上面部４２Ａから通気胴縁５６にかけてが屋外側から覆われている。また、防水シート６０は、図示しない両面テープやシール部材等によってその建物上方側の一端部６０Ａが鋼板役物３８の上壁部３８Ａの屋内側の面に対して固定されている。一方、防水シート６０の建物下方側の他端部６０Ｂは、図示しないブチルテープ等を介して通気胴縁５６の外面部５６Ｂに固定されている。
【００４７】
一方、図２に示されるように、シール部材６２は、ＥＰＤＭすなわち合成ゴム発泡体で矩形のシート状に構成されると共に、通気胴縁５６の内面部５６Ａに沿って貼り付けられて、外壁材２６の取付面２８Ａと通気胴縁５６との間に介在された状態となっている。換言すれば、シール部材６２は、外壁材２６の取付面２８Ａと通気胴縁５６との間に配置されている。なお、ＥＰＤＭは、種々の凹凸形状に追従して弾性変形することが可能となっている。そして、シール部材６２の屋内側の取付面部６２Ａには、ブチルテープ６８が貼り付けられている。
【００４８】
ブチルテープ６８は、上述したシール部材６２よりも薄い矩形のシート状に構成されると共に、シール部材６２の取付面部６２Ａに沿って貼り付けられて、シール部材６２と外壁材２６の取付面２８Ａとの間に介在された状態となっている。このブチルテープ６８は、粘着性を有しており、当該ブチルテープ６８にネジ部材が螺入されると、当該ネジ部材のネジ山に当該ブチルテープ６８が巻き込まれて付着するようになっている。
【００４９】
そして、上述したように、通気胴縁５６は、鋼板役物３８の側壁部３８Ｂ及び水切り５４等と共にタッピンネジ６４によって外壁パネル２４に取り付けられている。従って、通気胴縁５６等を取り付けるときに、タッピンネジ６４のネジ山にブチルテープ６８が巻き込まれて外壁材２６の上端部２６Ａに形成されたネジ孔８０（図１参照）が塞がれるようになっている。なお、通気胴縁５６は、鋼板役物３８の側壁部３８Ｂの屋外側からタッピンネジ６４が螺入されることで、防水シート６０を介して当該側壁部３８Ｂと当接した状態となっている。
【００５０】
また、図３に示されるように、通気胴縁５６の隣接する端部同士の間には、シール部材６２と同様にＥＰＤＭで構成された四角柱状の隙詰め部材としてのシール部材８４が介在している。通気胴縁５６は、予めシール部材８４が取り付けられた状態で、外壁材２６に取り付けられるが、このときシール部材８４は、その通気胴縁５６の長手方向の幅が半分程度となるまで圧縮された状態となっている。このため、通気胴縁５６の隣接する端部同士は、シール部材８４を介して密着した状態となっている。
【００５１】
＜本実施形態の作用及び効果＞
次に、本実施形態の作用並びに効果を説明する。
【００５２】
本実施形態では、図１に示されるように、建物１０の外壁２２の上端部２２Ａにおける屋外側の取付面２８Ａに通気胴縁５６が配置されている。この通気胴縁５６には、通気溝５８が形成されており、当通気溝５８によって建物１０の屋根裏４６側と屋外側とが連通されている。このため、建物１０の屋根裏４６側と屋外側とを通気し、屋根裏４６を換気することができる。
【００５３】
ところで、建物１０の外壁２２の取付面２８Ａに凹凸があると当該取付面２８Ａと通気胴縁５６との間に隙間が生じ、当該隙間から屋根裏４６側へと水が浸入することが考えられる。
【００５４】
ここで、本実施形態では、建物１０の外壁２２の上端部２２Ａにおける屋外側の取付面２８Ａと通気胴縁５６との間にシール部材６２が介在されており、当該シール部材６２は、当該取付面２８Ａの凹凸に追従して弾性変形可能とされている。このため、シール部材６２が建物の外壁２２の取付面２８Ａの凹凸に追従して弾性変形することで当該隙間が当該シール部材６２によって塞がれる。その結果、建物１０の外壁２２の取付面２８Ａと通気胴縁５６とは、シール部材６２を介して密着した状態となり、外壁２２の取付面２８Ａと通気胴縁５６との間に吹き付ける水を遮ることができる。このように、本実施形態では、外壁２２の取付面２８Ａにおける凹凸の有無にかかわらず、通気胴縁５６と外壁２２の取付面２８Ａとの間から屋根裏４６側への水の浸入を抑制することができる。しかも、シーリング材で外壁２２の取付面２８Ａの凹凸を埋める場合と比し、作業品質のばらつきが抑制される。
【００５５】
また、本実施形態では、建物１０の外壁２２の上端部２２Ａに沿って複数配置された通気胴縁５６における隣接する端部同士の間に弾性変形可能なシール部材８４が介在されている。このため、シール部材８４が圧縮変形された状態で通気胴縁５６を外壁２２に取り付けることにより、当該通気胴縁５６における隣接する端部同士が当該シール部材８４を介して密着した状態となる。その結果、本実施形態では、複数配置された通気胴縁５６における隣接する端部同士の間から屋根裏４６側への水の浸入を抑制することができる。しかも、外気の温度差等によって通気胴縁５６が熱変形しても、当該熱変形による通気胴縁５６の寸法の変化量がシール部材８４によって吸収される。さらに、通気胴縁５６に予めシール部材８４が取り付けてサブアッセンブリとした状態で作業することで作業性が向上する。加えて、通気胴縁５６における隣接する端部同士の間をシーリング材で埋める場合と比し、作業品質のばらつきが抑制される。
【００５６】
また、本実施形態では、シール部材６２と建物１０の外壁２２の上端部２２Ａとの間にブチルテープ６８が介在している。そして、タッピンネジ６４で通気胴縁５６をシール部材６２と共に外壁２２の上端部２２Ａに取り付けるときに、タッピンネジ６４のネジ山にブチルテープ６８が巻き込まれる。このため、タッピンネジ６４によって外壁２２の上端部２２Ａに形成されたネジ孔８０を、ブチルテープ６８によって塞ぐことができ、その結果、通気胴縁５６及びシール部材６２に形成されたネジ孔から屋根裏４６側への水の浸入を抑制することができる。しかも、通気胴縁５６の取付時において、当該通気胴縁５６をブチルテープ６８で外壁２２に仮固定することができ、作業性が向上する。
【００５７】
また、本実施形態では、建物１０の屋根部３６を構成すると共に屋根裏４６を覆う鋼板役物３８と建物１０の外壁２２の上端部２２Ａとを含んで屋根裏４６側への通気が可能な通気口６６が構成されている。そして、通気口６６の建物上方側に通気胴縁５６が配置されており、通気口６６よりも建物上方側に水切り部５４Ａが設けられている。このため、屋根部３６の上方側から通気口６６に向かって流れる水が水切り部５４Ａを伝って流れ、当該水切り部５４Ａの建物下方側に設けられた通気口６６から水が浸入するのを抑制することができる。その結果、本実施形態では、建物上方側から流れてくる水の屋根裏４６側への浸入を抑制することができる。
【００５８】
また、本実施形態では、通気胴縁５６の通気溝５８の建物下方側を覆う覆い部５４Ｃによって通気口６６の一部が構成されることで、通気口６６を確保しつつ通気胴縁５６の通気溝５８に水が吹き付けられることを抑制することができる。その結果、本実施形態では、通気口６６によって屋根裏４６側への通気性を確保しつつ当該通気口６６から通気胴縁５６の通気溝５８への水の浸入を抑制することができる。
【００５９】
加えて、本実施形態では、陸屋根を構成する鋼板役物３８の側壁部３８Ｂの長手方向に沿って軒樋４８が設けられており、建物１０の意匠性を損なうことなく、屋根部３６の上方側から水切り部５４Ａを伝って流れる水を排水することができる。その結果、本実施形態では、建物１０の意匠性の確保と建物上方側から流れてくる水の屋根裏４６側への浸入の抑制との両立を図ることができる。
【００６０】
＜上記実施形態の補足説明＞
（１）  上述した実施形態では、シール部材６２と外壁２２との間にブチルテープ６８が介在していたが、これに限らない。例えば、ＰＯＳシール（登録商標）等を用いても良い。また、シール部材６２と外壁２２との間に何も介在しない構成も取り得る。このような構成であっても、シール部材６２は、外壁２２の取付面２８Ａの凹凸に追従して弾性変形するので、通気胴縁５６と当該取付面２８Ａとの間から屋根裏４６側への水の浸入を抑制することができる。
【００６１】
（２）  また、上述した実施形態では、シール部材６２及びシール部材８４の材質をＥＰＤＭに設定したが、種々の凹凸形状に追従して弾性変形することが可能であれば、適宜その他の材質に変更してもよい。
【符号の説明】
【００６２】
１０      建物
２２      外壁
２２Ａ    上端部
２８Ａ    取付面（表面部）
３６      屋根部（屋根）
３８      鋼板役物（屋根板部材）
３８Ｂ    側壁部
４６      屋根裏
４８      軒樋
５４Ａ    水切り部
５６      通気胴縁
５６Ｂ    外面部（通気胴縁の屋外側の面）
５８      通気溝（連通部）
６２      シール部材（弾性シール部材）
６４      タッピンネジ（ネジ部材）
６６      通気口（通気部）
６８      ブチルテープ（粘着体）
８４      シール部材（隙詰め部材）
【図１】
0006422340.tif 000002
【図２】
0006422340.tif 000003
【図３】
0006422340.tif 000004
【図４】
0006422340.tif 000005
【図５】
0006422340.tif 000006
【図６】
0006422340.tif 000007